(57)【要約】 【課題】  電線に対して防護管を相対移動させるだけで、その防護管内に電線を挿入して内装状態にすることを可能にし、防護管内に電線を挿入する作業を補助する挿入補助具を提供する。【解決手段】  筒形状の防護管１０３の割り部１０５間を拡開させて、その防護管１０３内に電線Ｄを内装状態に挿入する作業時に使用する挿入補助具１０であって、電線Ｄを挟ませて取り付けるとともに防護管１０３の割り部１０５間に割り込んで拡開させる挟み部２１と、防護管１０３の割り部１０５間に割り込ませる挟み部２１の入口側および出口側に電線Ｄを位置決めする位置決め部と、挟み部２１から離脱しないように防護管１０３の割り部１０５の内面を電線Ｄを内装する方向に案内する案内リブ２３と、を備える。【選択図】      図４
2005287115.tif 000002
【特許請求の範囲】
【請求項１】
筒形状に形成された防護管の延在方向に切り込まれている割り部間を拡開させて、当該防護管内に電線を内装状態に挿入する際に使用する挿入補助具であって、
電線を内部に位置させるとともに該電線の平行方向に移動する防護管の割り部間に割り込んで該割り部間を拡開する拡開部と、防護管の割り部に割り込ませる拡開部の入口側および出口側に電線を位置決めする位置決め部と、拡開部から離脱しないように防護管の割り部の内面に係合しつつ位置決め部により位置決めされている電線を内装する方向に該防護管を案内する案内部と、を備えることを特徴とする挿入補助具。
【請求項２】
前記案内部は、拡開部の入口側に位置決めされた電線から離隔する位置より、該拡開部の出口側に位置決めされた電線に近接する位置に、防護管の割り部の内面を案内することを特徴とする請求項１に記載の挿入補助具。
【請求項３】
前記拡開部は、防護管の割り部を拡開させる拡開面に沿うように、該割り部の相対移動する方向に回転自在に支持された複数本のローラ部材が並設されていることを特徴とする請求項１または２に記載の挿入補助具。
【請求項４】
前記拡開部は、防護管の割り部を拡開させる拡開面をそれぞれ備えて互いに近接または離隔する一対の拡開部材と、該拡開部材毎に案内部の反対側に連設された延長部材と、一対の拡開部材および延長部材の間を回動支点として連結する回動軸と、一対の延長部材間を離隔する方向に付勢して拡開部材を接近させる付勢手段と、を備えることを特徴とする請求項１から３のいずれかに記載の挿入補助具。
【請求項５】
前記延長部材に、滑りを制限する材料を設けたことを特徴とする請求項４に記載の挿入補助具。
【請求項６】
前記延長部材に、他の道具等に引っ掛ける手段を設けたことを特徴とする請求項４または５に記載の挿入補助具。
【発明の詳細な説明】
【技術分野】
【０００１】
本発明は、挿入補助具に関し、詳しくは、大掛かりな装置を使用することができない箇所に架設されている電線を、防護管内に挿入する作業を行う際に使用するものに関する。
【背景技術】
【０００２】
従来より、工事などの作業中に、電線に触れて感電したり、電線自体を損傷してしまうことを防止するために、工事などを行う前に、触れるなどしてはいけない電線の存在を認識し易くして注意喚起するために、防護管を被せることが行われている。このような防護管を電線に装着する際には、防護管脱着装置を用いることが知られている。この防護管脱着装置は、作業者との間の絶縁性を確保しつつ、電力を供給している電線に防護管を装着する必要があることから、絶縁性の確保されている操作棒の先端に装置本体が取り付けられている（例えば、特許文献１、２参照）。
【特許文献１】特開２０００−１９７２２５号公報
【特許文献２】特開２００３−  ４７１１５号公報
【発明の開示】
【発明が解決しようとする課題】
【０００３】
このような防護管脱着装置にあっては、油圧モータを取り付けた大掛かりな装置であり、長い距離の電線を保護する必要がある場合に、その防護管を連結させつつ電線をその内部に挿入して内装状態にする際に主に使用される。
【０００４】
しかしながら、防護管内に挿入して保護する必要がある電線は、これに限らず、例えば、図６に示すように、電柱１０１の上部に設置されたトランス１０２に接続した電線Ｄにも防護管を被せて保護することが必要な場合がある。このような場合にまで、大掛かりな防護管脱着装置を使用するのは大変であり、狭い作業スペースで使用できない場合もある。また、この電線Ｄは、防護管脱着装置のような重い装置の荷重を掛けると、断線等の虞がある。
【０００５】
このことから、電線Ｄに、例えば、図７に示す簡易構造の防護管１０３を手作業により被せる場合がある。この場合、トランス１０２などに接続される電線Ｄにも高電圧が流れているので、電力供給を止めることができないときには、絶縁用保護具を着用する必要がある。しかし、絶縁用保護具を着用して作業するよりも、防護管脱着装置と同様に、遠隔位置から絶縁性を確保しつつ、その電線Ｄに防護管１０３を被せる作業を実現する方が望ましい。
【０００６】
そこで、本発明は、電線に対して防護管を相対移動させるだけで、その防護管内に電線を挿入して内装状態にすることを可能にし、防護管内に電線を挿入する作業を補助する挿入補助具を提供することを目的とする。
【課題を解決するための手段】
【０００７】
上記課題を解決する挿入補助具の第１の発明は、筒形状に形成された防護管の延在方向に切り込まれている割り部間を拡開させて、当該防護管内に電線を内装状態に挿入する際に使用する挿入補助具であって、電線を内部に位置させるとともに該電線の平行方向に移動する防護管の割り部間に割り込んで該割り部間を拡開する拡開部と、防護管の割り部に割り込ませる拡開部の入口側および出口側に電線を位置決めする位置決め部と、拡開部から離脱しないように防護管の割り部の内面に係合しつつ位置決め部により位置決めされている電線を内装する方向に該防護管を案内する案内部と、を備えることを特徴とするものである。
【０００８】
この発明では、電線を拡開部内に保持させて位置決め部により位置決めして取り付けることができ、その拡開部を入口側から防護管端部の割り部間に割り込ませることにより、その防護管を拡開部から離脱させないように案内部により案内しつつ電線と平行方向にスライド（移動）させることができる。このとき、防護管は、割り部間が拡開されつつ拡開部の出口側の電線を内装する（内部に位置させる）方向に案内されて、その拡開部を通過する。これにより、防護管は、割り部が拡開部を越えるときには内部に電線を挿入した内装状態になる。したがって、人手により防護管の割り部を広げて電線を挿入するなどの無理な作業によらずに、容易に電線を防護管内に挿入することができる。
【０００９】
上記課題を解決する挿入補助具の第２の発明は、上記第１の発明の特定事項に加え、前記案内部は、拡開部の入口側に位置決めされた電線から離隔する位置より、該拡開部の出口側に位置決めされた電線に近接する位置に、防護管の割り部の内面を案内することを特徴とするものである。
【００１０】
この発明では、拡開部の入口側から出口側にスライドさせる防護管の割り部の内面が、電線から離隔する位置から電線に近接する位置に、言い換えると、電線に沿う位置から電線を内装する位置に案内されて、その電線を挿入して内装する状態になる。したがって、防護管は電線に対して斜行して割り部が拡開部を越えたときに電線を内装する。このとき、拡開部は、位置決め部により電線に対して位置決めされているので、スライドさせる防護管により案内部がずれてしまうことがなく（電線と防護管が平行になる方向に回転モーメントにより回転されてしまうことがなく）、その案内部は防護管を斜行させて電線を挿入させることができる。
【００１１】
上記課題を解決する挿入補助具の第３の発明は、上記第１または第２の発明の特定事項に加え、前記拡開部は、防護管の割り部を拡開させる拡開面に沿うように、該割り部の相対移動する方向に回転自在に支持された複数本のローラ部材が並設されていることを特徴とするものである。
【００１２】
この発明では、防護管の割り部間に拡開部を割り込ませてスライドさせる際に、その拡開部の拡開面のローラ部材が回転することにより防護管の割り部のスライドを補助する。したがって、防護管を小さな力で移動させることができ、より容易に電線を防護管内に挿入することができる。
【００１３】
上記課題を解決する挿入補助具の第４の発明は、上記第１から第３のいずれかの発明の特定事項に加え、前記拡開部は、防護管の割り部を拡開させる拡開面をそれぞれ備えて互いに近接または離隔する一対の拡開部材と、該拡開部材毎に案内部の反対側に連設された延長部材と、一対の拡開部材および延長部材の間を回動支点として連結する回動軸と、一対の延長部材間を離隔する方向に付勢して拡開部材を接近させる付勢手段と、を備えることを特徴とするものである。
【００１４】
この発明では、一対の延長部材を摘まむように操作するだけで、拡開部材間を離隔させて電線を拡開部内に位置決めすることができ、その摘まむ力を緩めるだけで延長部材間を離隔させる付勢手段の付勢力により拡開部材間が接近されてその電線を保持する状態に取り付けることができる。同様に操作することにより、反対に、拡開部材を離隔させて電線から拡開部を外して回収することもできる。したがって、容易に電線に着脱して防護管を装着する作業を行うことができる。
【００１５】
上記課題を解決する挿入補助具の第５の発明は、上記第４の発明の特定事項に加え、前記延長部材に、滑りを制限する材料を設けたことを特徴とするものである。
【００１６】
この発明では、滑ってしまうことなく延長部材を摘まんで操作することができる。したがって、遠隔位置から操作する道具を利用して、容易に電線に着脱することができる。
【００１７】
上記課題を解決する挿入補助具の第６の発明は、上記第４または第５の発明の特定事項に加え、前記延長部材に、他の道具等に引っ掛ける手段を設けたことを特徴とするものである。
【００１８】
この発明では、遠隔位置から操作する道具を利用する場合などに、その道具に引っ掛けることができる。したがって、不用意に脱落したときにも、落下させてしまうことを回避することができる。
【発明の効果】
【００１９】
本発明によれば、電線を拡開部内に位置決めして取り付けるだけで、その拡開部により防護管の割り部を拡開させて乗り越えさせる際に、電線を内装状態にするように案内することができ、人手による無理な作業によらずに、容易に電線を防護管内に挿入することができる。
【００２０】
この防護管が拡開部を乗り越える際に、ローラ部材が防護管のスライドを補助することにより、防護管を小さな力で移動させて、電線を防護管内に容易に挿入することができる。また、延長部材を摘まむだけで拡開部材間に電線を取付可能な、所謂、クリップ構造にすることにより、電線への着脱作業を容易にすることができ、また、遠隔位置から操作する道具に引掛可能にすることにより、安全性を確保することができる。
【発明を実施するための最良の形態】
【００２１】
以下、本発明の最良の実施形態を図面に基づいて説明する。図１〜図４は本発明に係る挿入補助具の一実施形態を説明する図である。
【００２２】
図１〜図３において、挿入補助具１０は、例えば、図６に示す電柱１０１の上部に設置されたトランス１０２の電線Ｄに、電力供給を止めることなく、図７に示す防護管１０３を図５に示す道具を用いて遠隔位置から被せる作業を行う際に、その作業を補助するために使用するものである。
【００２３】
ここで、防護管１０３は、胴体部１０４が自由に屈曲可能な蛇腹状の筒形状に形成されており、この胴体部１０４の外面の延在方向には、電線Ｄを挿入可能にスリット状の割り部１０５が形成されている。また、防護管１０３の割り部１０５の両側には、内装する電線Ｄからの絶縁性を確保するために外方に延長された脚部１０６が形成されていると共に、その脚部１０６の内側には、風等により内装した電線Ｄから容易に外れてしまわないようにツバ１０７が形成されて互いに組み合う構造になっている。この防護管１０３は、装着する電線Ｄの長さは千差万別であることから、任意の長さに切断して利用する。なお、本実施形態では、蛇腹状筒形状の防護管１０３を一例に説明するが、これに限るものではなく、単なる筒形状の防護管を電線などに被せる作業にも最適に使用することができることはいうまでもない。
【００２４】
挿入補助具１０は、クリップ方式で電線Ｄに着脱することができるように構築されており、一対の本体部材１１と、連結部材１２と、トーションバネ（付勢手段）１３と、複数本のローラ部材１４と、複数本の支柱部材１５と、引掛紐（引掛手段）１６と、が組み立てられて作製されている。
【００２５】
本体部材１１は、一対の平板材料をそれぞれ「く」の字に屈曲させる形状に作製されており、その中間角部同士を回動支点として相互に回動自在に連結部材１２により連結されている。この本体部材１１は、連結部材１２を中心にする一端側（図１中における下側）に延在して、クリップとして対象物を挟む挟み部（拡開部材）２１と、連結部材１２を中心にする他端側（図１中における上側）に延在して、この挟み部２１間を離隔させるために摘まむ摘まみ部（延長部材）２２とを備えている。連結部材１２は、軸部材としても機能するように、例えば、汎用品のボルト１２ａおよびナット１２ｂにより構成されており、本体部材１１の両側面に回動軸として貫通し、その本体部材１１同士を回動自在に連結する。トーションバネ１３は、胴体部１３ａ内にこの連結部材１２が貫通するとともに、脚部１３ｂが本体部材１１の摘まみ部２２間に位置するように取り付けられており、その摘まみ部２２間を互いに離隔させる方向に付勢してその弾性力により本体部材１１の挟み部２１間を接近させる。
【００２６】
これにより、本体部材１１は、トーションバネ１３の弾性力に抗して、摘まみ部２２を互いに接近させる方向に摘まむことで挟み部２１間に電線Ｄを位置させることができ、その摘まみ力を開放することにより、その挟み部２１間にトーションバネ１３の弾性力により電線Ｄを挟んだ状態に保持させることができる。同様に、この本体部材１１は、摘まみ部２２を互いに接近させる方向に摘まんで挟み部２１間から電線Ｄを離脱させて取り外すことができる。
【００２７】
この一対の本体部材１１の挟み部２１は、一方の側方外方（図１における左側外方）に延長されて互いの外面（拡開面）を近接させる割込み面２１ａと、他方の側面を閉止するように互いに近接する方向に屈曲する閉止面２１ｂとを備えている。この挟み部２１の割込み面２１ａには、先端側の上部（摘まみ部２２に近接する側）に電線Ｄを挟んで位置決めするように円弧状に切り欠かれた上部位置決め部２１ｃが形成される一方、閉止面２１ｂ側には、下部（摘まみ部２２から離隔する側）に電線Ｄを挟んで位置決めするように欠落させて閉止面を開放する下部位置決め部２１ｄが形成されている。
【００２８】
また、この一対の本体部材１１の挟み部２１は、割込み面２１ａの先端から閉止面２１ｂ近傍まで、摘まみ部２２から離隔する側で連結部材１２と平行にリブ形状に突出する案内リブ（案内部）２３が連設されている。
【００２９】
これにより、挟み部２１は、防護管１０３の割り部１０５の間に、先端側が狭められている割込み面２１ａを入口側として差し込んで割り込ませることができ、この割込み面２１ａにより徐々に防護管１０３の割り部１０５の間を離隔させることができる。そして、この挟み部２１は、その割込み面２１ａから連続する外面の拡開面２１ｅにより拡開させた状態を維持しつつ、閉止面２１ｂを出口側としてその防護管１０３の割り部１０５を乗り越えさせて（通過させて）、その割り部１０５を閉じさせることができる。この防護管１０３の内部には、案内リブ２３が位置しており、その案内リブ２３が割り部１０５の内面に対面しつつ摺接（係合）する状態で防護管１０３を案内することができる。
【００３０】
このとき、挟み部２１内に電線Ｄを挟んで保持する場合には、その電線Ｄは、割込み面２１ａの先端側の上部位置決め部２１ｃと、閉止面２１ｂによる下部位置決め部２１ｄとで回転やスライドさせる方向の力が加えられても位置ずれを起こさないように位置決めされており、挟み部２１下部の案内リブ２３に対して斜めに位置決めされている。このため、挟み部２１の割込み面２１ａにより割り部１０５を拡開させつつ防護管１０３を閉止面２１ｂ側に向かって相対移動させると、その防護管１０３は、割り部１０５の内面が割込み面２１ａから閉止面２１ｂ側に向かうほど電線Ｄに接近する案内リブ２３に摺接して、離脱することが制限されつつ案内される。ここで、挟み部２１は、位置決め部２１ｃ、２１ｄの２箇所で電線Ｄを挟持するので、その電線Ｄ回り方向には比較的容易に回転させて、作業し易いように取り付け姿勢を調整することができることはいうまでもない。すなわち、ここでいう回転は、防護管１０３を案内する案内リブ２３が電線Ｄと平行になる方向の回転をいう。
【００３１】
すなわち、図４に示すように、防護管１０３は、電線Ｄに対して斜行するように案内リブ２３に案内されて、割り部１０５が挟み部２１を乗り越えるときには、電線Ｄに沿う位置からその電線Ｄを内装する位置に変位するように案内される。したがって、防護管１０３の割り部１０５を人手により拡開させて電線Ｄを挿入したり、防護管１０３の割り部１０５（ツバ１０７）が摺接して電線Ｄを傷つけてしまうなどの無理な作業を行うことなく、摘まみ部２２を摘まんで挟み部２１を電線Ｄに取り付けた後に、その挟み部２１の割込み面２１ａから防護管１０３の割り部１０５内に割り込ませてその防護管１０３をスライド（相対移動）させるだけで、電線Ｄを内部に挿入して内装する状態に装着することができる。
【００３２】
さらに、一対の本体部材１１の挟み部２１は、割込み面２１ａから連続する閉止面２１ｂまでの拡開面２１ｅに沿うように（拡開面２１ｅを構成するように）、ローラ部材１４が設けられており、このローラ部材１４は、割り部１０５を拡開されつつ相対移動する防護管１０３のスライド方向を回転方向に一致させるように並列されている。また、この挟み部２１には、ローラ部材１４と同様に、拡開面２１ｅに沿うように、支柱部材１５が設けられており、この支柱部材１５は、ローラ部材１４間に平行になるように並列されている。
【００３３】
この挟み部２１のローラ部材１４は、図２や図３（ｂ）に示すように、割込み面２１ａに連続するとともに、支柱部材１５の間で外周面が出っ張るように外側に配置されており、割込み面２１ａから防護管１０３の割り部１０５を受け取るとともに、その防護管１０３の割り部１０５が支柱部材１５に摺接しないように受け流す。これにより、防護管１０３は、大きく拡開された状態でも小さな力で挟み部２１に対して相対移動させることができ、電線Ｄを内装する方向にスムーズにスライドさせることができる。
【００３４】
この挟み部２１の支柱部材１５は、図２（ｂ）や図３（ｂ）に示すように、ローラ部材１４よりも内側に配置されており、位置決め部２１ｃ、２１ｄに位置決め保持されている電線Ｄを同時に挟持して保持することができる。これにより、挟み部２１は、位置決め部２１ｃ、２１ｄで電線Ｄを位置決めするのに加えて、支柱部材１５が電線Ｄの延在方向の２箇所で回転したり移動しないように挟持して位置決め保持することができる。
【００３５】
一方、一対の本体部材１１の摘まみ部２２は、外面側に滑り止め用のゴム材料が貼り付けられており、また、他の道具等に引っ掛けておくことができる引掛紐１６が取り付けられている。
【００３６】
これにより、摘まみ部２２は、図５に示すような掴む道具、例えば、所謂、ヤットコ３０を用いて滑らないように摘まんで電線Ｄに挟み部２１を着脱することができ、また、念のために引掛紐１６をそのヤットコ３０の掴み部３１内に引っ掛けておくことにより、滑ってしまった場合にも挿入補助具１０を落下させてしまうことを回避することができる。
【００３７】
ここで、ヤットコ３０は、挿入補助具１０の摘まみ部２２を摘まんだり防護管１０３の胴体部１０４を掴む掴み部３１と、作業者が把持して挿入補助具１０を電線Ｄの近傍に持っていく支持棒３５と、掴み部３１を動作させる力を伝達する伝達棒３６と、作業者の操作を伝達棒３６に伝えて掴み部３１を動作させるハンドル３７と、挿入補助具１０側からの水分を滴下させる傘カバー３８と、電線Ｄからの絶縁性を考慮して安全に作業を行い得る限界位置を示す傘カバー３９とを備えており、概略全体をプラスチックやゴム材料などの絶縁材料で作製されて絶縁性が確保されている。
【００３８】
簡単に説明すると、ヤットコ３０の掴み部３１は、円弧形状に形成されて支持棒３５に固設されている不動部材３２と、同様に円弧形状に形成されて伝達棒３６に連結されているとともに不動部材３２側の回動軸３２ａを中心に回動自在に軸支されている可動部材３３とを備えている。このヤットコ３０は、作業者が支持棒３５およびハンドル３７を掴むと伝達棒３６が引かれて掴み部３１の可動部材３３が不動部材３２に接近するように回動して挿入補助具１０の摘まみ部２２を摘まむことができ、その状態で挟み部２１を電線Ｄに取り付けたり、その電線Ｄから外すことができる。なお、この掴み部３１の可動部材３３は、不図示のスプリングなどの弾性材料により不動部材３２から離隔する方向に付勢されている。
【００３９】
このように本実施形態においては、ヤットコ３０の掴み部３１により挿入補助具１０の摘まみ部２２を摘まんで挟み部２１を広げたまま、遠隔位置の電柱１０１上部に設置されたトランス１０２の電線Ｄの近傍まで持って行くことができ、電力供給を止めることなく、その電線Ｄに挿入補助具１０の挟み部２１を簡単に取り付けることができる。この後には、同様に、ヤットコ３０で防護管１０３を掴んで割り部１０５間に端部側から挿入補助具１０の挟み部２１の割込み面２１ａを差し込んで割り込ませることにより、図４に示すように、その防護管１０３の割り部１０５間を拡開させつつローラ部材１４により小さな力でスムーズに送ってスライドさせることができる。この防護管１０３は、割り部１０５の内面が案内リブ２３により外れてしまうことを制限されつつ案内されることによって、その割り部１０５が挿入補助具１０の挟み部２１を乗り越えて閉じたときには、沿う位置にあった電線Ｄを内装する状態になる。
【００４０】
したがって、人手による無理な作業によらずに、安全を確保しつつ容易に電線Ｄに防護管１０３を被せることができる。なお、この挿入補助具１０は、この挿入作業の後に、摘まみ部２２を再度ヤットコ３０により摘まんで電線Ｄから容易に取り外せばよい。
【産業上の利用可能性】
【００４１】
これまで本発明の一実施形態について説明したが、本発明は上述の実施形態に限定されず、その技術的思想の範囲内において種々異なる形態にて実施されてよいことは言うまでもない。
【図面の簡単な説明】
【００４２】
【図１】本発明に係る挿入補助具の一実施形態の概略全体構成を示す図であり、その立面図である。
【図２】その挿入補助具の図１を正面図とした場合の図であり、（ａ）は左側面図、（ｂ）は右側面図である。
【図３】その挿入補助具の図１を正面図とした場合の図であり、（ａ）は上面図、（ｂ）は底面図である。
【図４】その挿入補助具の使用を説明する図である。
【図５】その挿入補助具等を掴む道具を示す平面図である。
【図６】その挿入補助具により防護管内に挿入する電線を示す立面図である。
【図７】その挿入補助具により電線に被せる防護管を示す図であり、（ａ）はその平面図、（ｂ）はその縦断面図である。
【符号の説明】
【００４３】
１０    挿入補助具
１１    本体部材
１２    連結部材
１３    トーションバネ
１４    ローラ部材
１５    支柱部材
１６    引掛紐
２１    挟み部
２１ａ    割込み面
２１ｃ、２１ｄ    位置決め部
２１ｅ    拡開面
２２    摘まみ部
２３    案内リブ
３０    ヤットコ
３１    掴み部
３７    ハンドル
１０３    防護管
１０４    胴体部
１０５    割り部
Ｄ    電線
【図１】
2005287115.tif 000003
【図２】
2005287115.tif 000004
【図３】
2005287115.tif 000005
【図４】
2005287115.tif 000006
【図５】
2005287115.tif 000007
【図６】
2005287115.tif 000008
【図７】
2005287115.tif 000009